(57)【要約】      （修正有）【課題】簡単な構成でペットの手足および身体の洗浄ならびに糞尿を洗い流す水洗便器を兼ね備えたペット用水洗装置を提供する。                      【解決手段】後部の略中央部に形成された排水口に向かって傾斜したフロア４と、このフロア４を囲み、かつフロアに向かって放水する散水ノズルが設けられた枠体５と、排水口に向かって傾斜した中央面と前記排水口に向かって傾斜した側面を備えた前壁９を有する水洗器ボックス２と、この水洗器ボックス２の上部に設けられた水洗器具配設部を開閉する開閉蓋１３とより構成したものである。また、水洗器ボックス２の前壁９に照明器具１４を設けた構成とした。さらに水洗器ボックス２の前壁９にセンサーを設けた構成とした。【選択図】図１
0003149840.tif 000002
【実用新案登録請求の範囲】
【請求項１】
後部の略中央部に形成された排水口に向かって傾斜したフロアと、このフロアを囲み、かつフロアに向かって放水する散水ノズルが設けられた枠体と、前記排水口に向かって傾斜した中央面と前記排水口に向かって傾斜した側面を備えた前壁を有する水洗器ボックスと、この水洗器ボックスの上部に設けられた水洗器具配設部を開閉する開閉蓋とよりなることを特徴とするペット用水洗装置。
【請求項２】
前記水洗器ボックスの前壁に照明器具を設けたことを特徴とする請求項１記載のペット用水洗装置。
【請求項３】
前記水洗器ボックスの前壁にセンサーを設けたことを特徴とする請求項１記載のペット用水洗装置。
【考案の詳細な説明】
【技術分野】
【０００１】
本考案は、家庭でペットとして飼育する犬や猫等の手足および身体の洗浄や水洗便器としても使用できるペット用水洗装置に関する。
【背景技術】
【０００２】
近年、ペットとしての犬や猫等を家屋内で飼育している愛好家が増加している。したがって日課としての散歩や運動後の帰宅時にペットの手足を拭いたり、洗浄したりして家屋内に上げなければならず面倒な作業であった。また、ペットの排尿排便は家屋内の決められた場所でさせる躾をしておいたり、散歩時にさせたりしているが、その後処理が大変であった。そのため、これらの作業を自動でできる装置の開発が多く提案されている。例えば、手足および身体の洗浄として排水口に向かって傾斜している槽の周囲に散水溝を設け、スイッチで散水させて手足を自動的に洗浄したり、シャワーを装備して身体の洗浄を行うようにしたペット用の足洗い場が開示されている（例えば、特許文献１参照）。また、同様の構成でセンサーの検知動作によって自動的に排尿排便を散水で流すようにした犬猫用の水洗便器なども開示されている（例えば、特許文献２参照）。
【特許文献１】特開２００５−２１８４２０号  公報
【特許文献２】特開２００５−２８７４９０号  公報
【考案の開示】
【考案が解決しようとする課題】
【０００３】
しかしながら上記従来の構成では、前者のものは槽の中央部に排水口が設けられているためペットの手足が引っかかり危険となる。そのため蓋をする構成として手足の洗い場に限定されている。また、手足の洗浄を手動で行う構成としており、洗浄に手間が掛かると共に便器としての活用が出来ないという課題を有していた。後者のものはセンサの検知によって自動的に排便を洗い流す水洗便器が開示されているが、前者と同様に排水口が中央部に設けられているためペットの手足が落ち込んだり引っかかったりして危険となる課題を有していた。
【０００４】
本考案は上記従来の課題を解決するもので、簡単な構成でペットの手足および身体の洗浄ならびに糞尿を洗い流す水洗便器を兼ね備えたペット用水洗装置を提供することを目的とする。
【課題を解決するための手段】
【０００５】
上記課題を解決するために本考案のペット用水洗装置は、後部の略中央部に形成された排水口に向かって傾斜したフロアと、このフロアを囲み、かつフロアに向かって放水する散水ノズルが設けられた枠体と、前記排水口に向かって傾斜した中央面と前記排水口に向かって傾斜した側面を備えた前壁を有する水洗器ボックスと、この水洗器ボックスの上部に設けられた水洗器具配設部を開閉する開閉蓋とより構成したものである。従って、ペットが手足を踏み入れるフロア上には排水口が無く、水洗器ボックスの前壁で覆われた状態の直下に設けられた形となっているため手足の落ち込みや引っかかりが防止でき、ペットにとって安全安心な洗浄ならびに水洗便器として使用することができるという作用を有することとなる。
【０００６】
また本考案の第２のペット用水洗装置は、前記水洗器ボックスの前壁に照明器具を設けた構成としたものである。従って、暗い場所や夜間でもこの照明器具で明るくして洗浄ならびに水洗することができるという作用を有することとなる。
【０００７】
さらに本考案の第３のペット用水洗装置は、前記水洗器ボックスの前壁にセンサーを設けた構成としたものである。従って、センサーによる自動感知で自動的な手足の洗浄ならびに糞尿の水洗が可能となるという作用を有することとなる。
【考案の効果】
【０００８】
本考案のペット用水洗装置は、上記構成を備えたことにより、ペットが手足を踏み入れるフロア上には排水口が無いため手足の落ち込みや引っかかりが防止でき、ペットにとって安全安心な洗浄ならびに水洗便器として使用することができることになる。また、水洗器ボックスの前壁に照明器具を設けたため暗い場所や夜間でもこの照明器具で明るくして洗浄ならびに水洗することができる。さらには、水洗器ボックスの前壁にセンサーを設ければセンサーによる自動感知で自動的な手足の洗浄ならびに糞尿の水洗が可能となるといったような多くの作用効果が得られる。
【考案を実施するための最良の形態】
【０００９】
以下本考案の一実施の形態について、図面を参照しながら説明する。図１は本考案のペット用水洗装置の斜視図で、図２は使用時の斜視図を示し、図3は想像構成を示す側面図である。これらの図において本考案のペット用水洗装置は、水洗フロア1と水洗フロア1の後方に設けられた水洗器ボックス２とで構成されている。水洗フロア１には、図２に示すごとく水洗フロア１の後部の略中央部に排水口３が形成され、この排水口３に向かってフロア４が傾斜して配設してある。そしてこのフロア４を囲むように枠体５が設けられている。この枠体５にはフロア４に向かって放水する散水ノズル６が適宜必要数設けられている。すなわち、散水ノズル６を拡散型のノズルにしておけばペットの手足のみの水洗であれば中央部に一個の配設ですむし、糞尿の水洗であれ両側部に複数個配設するようにすれば良い。
【００１０】
水洗器ボックス２は、水洗フロア１の後部の略中央部に形成された排水口３に向かって下部が後方に傾斜した中央面７と排水口３に向かって後方に傾斜した側面８を備えた前壁９を備え、上部にはシャワー１０、流水の開閉栓１１およびシャワー１０と散水ノズル６のいづれか又は両方を使用するための切替え釦１２等の水洗器具が配設されている。これらの配管は水洗器ボックス２内に収納されており、散水ノズル６にも繋がっている。１３は水洗器具配設部を開閉する開閉蓋で使用時に開放する。１４は前壁９に配設されたランプやＬＥＤ等の照明器具で、設置場所が暗い所であったり夜間に使用する場合ではこの照明器具で明るくして洗浄ならびに水洗することができる。
【００１１】
上記した構成において、屋外から帰宅したらペットを水洗フロア1に導き入れ、切替え釦１２を散水ノズル６に切替えて開閉栓１１を開にすると散水ノズル６から拡散した水が放水され、ペットの手足のみが自動的に水洗される。切替え釦１２をシャワー１０に切替えれば飼い主がシャワー１０を使用して手動で手足のみならず全身を水洗することもできる。
【００１２】
さらに前壁９の適宜箇所や上記した照明器具１４内にセンサーを配設してペットの進入を自動検知するようにしておけば、検知によって散水ノズル６からの拡散放水が自動的に行われ、ペットの手足が自動的に水洗される。この場合、ペットの進入から５秒前後経ってから自動検知するように制御しておけば、ペットが進入してすぐに出て行ったような場合に誤動作するのを防止でき、この方が望ましい。
【００１３】
つぎに本考案のペット用水洗装置をペットの排尿排便場所として躾けておくことを前提として、ペットの糞尿を洗い流す水洗便器について説明する。まず飼い主が手動で水洗処理する場合は、水洗器具の切替え釦１２を散水ノズル６に切替えて開閉栓１１を開にすると、散水ノズル６からフロア４に向かって放水しペットの糞尿が排水口３に向かって洗い流される。上記したセンサーによるペットの自動検知で水洗処理する場合は、水洗フロア1内からペットが退出した後やはり５秒前後経ってから散水ノズル６からフロア４に向かって放水するように制御しておけばよい。なお、水洗放水が不十分な時は散水ノズル６を枠体５の複数個所に配設しておけば大型犬にも対応できる。
【産業上の利用可能性】
【００１４】
本考案のペット用水洗装置は、一般家庭やマンション等において犬や猫等のペットの手足の洗浄ならびに糞尿の水洗として有用である。
【図面の簡単な説明】
【００１５】
【図１】本考案のペット用水洗装置に係る斜視図
【図２】本考案のペット用水洗装置の使用時の斜視図
【図３】本考案のペット用水洗装置に係る想像構成側面図
【符号の説明】
【００１６】
１    水洗フロア
２    水洗器ボックス
３    排水口
４    フロア
５    枠体
６    散水ノズル
９    前壁
１０   シャワー
１１   開閉栓
１２   切替え釦
１３   開閉蓋
１４   照明器具
１５   タオル掛け
１６   リード掛け
【図１】
0003149840.tif 000003
【図２】
0003149840.tif 000004
【図３】
0003149840.tif 000005